(57)【要約】【課題】超高強度鋼で製作された波形鋼板を建物の上下の梁又はスラブ或いは左右の柱と一体的に接合した耐震壁を提供する。【解決手段】超高強度鋼で製作された波形鋼板２０の左右両端部に、該波形鋼板２０を内外両面から挟み込む形鋼３、３がボルト接合されて形鋼フランジ部４、４が形成され、該形鋼フランジ部４の上下端部が上下の梁又はスラブ５、５へ接合されている。超高強度鋼で製作された波形鋼板２０の上下端部が、上下の梁又はスラブ５、５とボルト接合されている。【選択図】図１
2008088758.tif 000002
【特許請求の範囲】
【請求項１】
超高強度鋼で製作された波形鋼板が、その折り筋を水平方向に向けて上下の梁又はスラブへ一体的に接合された耐震壁であって、
前記超高強度鋼で製作された波形鋼板の左右両端部に、該波形鋼板を内外両面から挟み込む形鋼がボルト接合されて形鋼フランジ部が形成され、該形鋼フランジ部の上下端部が上下の梁又はスラブへ接合されており、
前記超高強度鋼で製作された波形鋼板の上下端部が、上下の梁又はスラブとボルト接合されていることを特徴とする、超高強度鋼で製作された波形鋼板を用いた耐震壁。
【請求項２】
超高強度鋼で製作された波形鋼板が、その折り筋を水平方向に向けて上下の梁又はスラブへ一体的に接合された耐震壁であって、
前記超高強度鋼で製作された波形鋼板に、普通鋼又は低降伏点鋼等の鋼材から成る波形鋼板が凹凸を同じ向きに重ね合わされてボルト接合されており、
前記重ね合わせた波形鋼板の左右両端部に、該波形鋼板を内外両面から挟み込む形鋼がボルト接合されて形鋼フランジ部が形成され、該形鋼フランジ部の上下端部が上下の梁又はスラブへ接合されており、
前記超高強度鋼で製作された波形鋼板の上下端部が、上下の梁又はスラブとボルト接合されていること、又は普通鋼や低降伏点鋼等の鋼材から成る波形鋼板が上下の梁又はスラブと溶接接合又はボルト接合されていることを特徴とする、超高強度鋼で製作された波形鋼板を用いた耐震壁。
【請求項３】
超高強度鋼で製作された波形鋼板が、その折り筋を水平方向に向けて左右の柱へ一体的に接合された耐震壁であって、
前記超高強度鋼で製作された波形鋼板の左右両端部に、該波形鋼板を内外両面から挟み込む形鋼がボルト接合されて形鋼フランジ部が形成されており、
前記形鋼フランジ部に接合された連結部材が左右の柱へ接合されていることを特徴とする、超高強度鋼で製作された波形鋼板を用いた耐震壁。
【請求項４】
超高強度鋼で製作された波形鋼板が、その折り筋を水平方向に向けて左右の柱へ一体的に接合された耐震壁であって、
前記超高強度鋼で製作された波形鋼板に、普通鋼又は低降伏点鋼等の鋼材から成る波形鋼板が凹凸を同じ向きに重ね合わされてボルト接合されており、
前記重ね合わせた波形鋼板の左右両端部に、該波形鋼板を内外両面から挟み込む形鋼ががボルト接合されて形鋼フランジ部が形成されており、
前記形鋼フランジ部に接合された連結部材が、左右の柱へ接合されていることを特徴とする、超高強度鋼で製作された波形鋼板を用いた耐震壁。
【請求項５】
超高強度鋼で製作された波形鋼板の中間部、又は超高強度鋼で製作された波形鋼板に普通鋼又は低降伏点鋼等の鋼材から成る波形鋼板を重ね合わせた波形鋼板の中間部に、前記波形鋼板を内外両面から挟み込む補強鋼板又は補強形鋼がボルト接合されていることを特徴とする、請求項１〜４のいずれか一に記載した超高強度鋼で製作された波形鋼板を用いた耐震壁。
【請求項６】
超高強度鋼で製作された波形鋼板と形鋼との隙間、又は超高強度鋼で製作された波形鋼板に普通鋼又は低降伏点鋼等の鋼材から成る波形鋼板を重ね合わせた波形鋼板と形鋼との隙間、或いは超高強度鋼で製作された波形鋼板と補強鋼板又は補強形鋼との隙間へモルタル又は樹脂が充填されていることを特徴とする、請求項１〜５のいずれか一に記載した超高強度鋼で製作された波形鋼板を用いた耐震壁。
【請求項７】
超高強度鋼で製作された波形鋼板と形鋼との隙間、又は超高強度鋼で製作された波形鋼板に普通鋼又は低降伏点鋼等の鋼材から成る波形鋼板を重ね合わせた波形鋼板と形鋼との隙間、或いは超高強度鋼で製作された波形鋼板と補強鋼板又は補強形鋼との隙間へ補剛材が設置されていることを特徴とする、請求項１〜６のいずれか一に記載した超高強度鋼で製作された波形鋼板を用いた耐震壁。
【請求項８】
超高強度鋼で製作された波形鋼板を内外両面から挟み込む形鋼で形成された形鋼フランジ部、又は超高強度鋼で製作された波形鋼板に普通鋼又は低降伏点鋼等の鋼材から成る波形鋼板を内外両面から挟み込む形鋼で形成された形鋼フランジ部に、前記内外の形鋼を結ぶ補剛鋼板が接合されていることを特徴とする、請求項１又は２に記載した超高強度鋼で製作された波形鋼板を用いた耐震壁。
【請求項９】
超高強度鋼で製作された波形鋼板の上下端部、又は超高強度鋼で製作された波形鋼板に普通鋼又は低降伏点鋼等の鋼材から成る波形鋼板を重ね合わせた波形鋼板の上下端部には、水平方向に沿って前記の波形鋼板を内外両面から挟み込む形鋼がボルト接合されていることを特徴とする、請求項３又は４に記載した超高強度鋼で製作された波形鋼板を用いた耐震壁。
【発明の詳細な説明】
【技術分野】
【０００１】
この発明は、超高強度鋼で製作された波形鋼板を建物の上下の梁又はスラブ或いは左右の柱と一体的に接合した耐震壁の技術分野に属する。
【背景技術】
【０００２】
現在、本出願人は、主に普通鋼や低降伏点鋼等の鋼材から成る波形鋼板を上下の梁又はスラブ或いは左右の柱へ一体的に溶接接合又はボルト接合した耐震壁の技術を開発し、既に別途出願している（例えば特許文献１〜８を参照）。
この波形鋼板の力学的特性について着目すると、次の特徴が認められる。なお、本発明でいう波形鋼板とは、ＪＩＳ規格では「鋼鉄性波板」と記載され、現業では単に折り板とか波板とも称されているもので、断面形状としては図７Ａ〜Ｄに例示した台形波形状（図７Ａ）、矩形波形状（図７Ｂ）、三角形形状（図７Ｃ）、円弧波形状（図７Ｄ）等を指している。
図６に例示したように、波形鋼板は、折り板になっているので一枚一枚が剪断力に対して抵抗し、その集合として全体が剪断力として抵抗する。また、剪断座屈長さが短く、その剪断強度を平板と比較した場合、剪断耐力ははるかに大きい。しかも、剪断耐力及び剛性は、鋼板の材質固有の強度のほか、板厚の大きさ、折り板のピッチ及び波高の大きさにより、かなり自由に制御可能である。
鉛直軸力に対しては、図８Ａに例示したように、アコーディオンのごとく自由に延び縮みするので、平板と比較すると剛性、耐力ははるかに小さい。また、波形面内の曲げに対しても、図８Ｂに例示したようにアコーディオンのごとく自由に伸び縮みし、平板に比較すると剛性、耐力ははるかに小さい。一方、波形の筋に直角な方向の面外力（曲げ及び剪断）に対する剛性、耐力は、折り板になっているので十分に大きい。しかし、波形の筋に平行な方向の面外曲げ及び剪断に対しては、折り板になっているが故に抵抗は小さいのである。
【０００３】
つまり、下記特許文献１〜８に記載された波形鋼板による耐震壁は、架構の水平力による曲げ及び剪断に対しては波形鋼板が効果的に対抗し、剪断耐力および剛性は必要十分に大きくなる。それでいて、架構の剛性及び面外方向の曲げ力に対する抵抗は小さい力学特性を発揮する。よって地震力に対する強度（耐力）が大きく、しかも高耐力での変形性能（靱性）に優れた可変剛性機能を期待できる。
【０００４】
【特許文献１】特開２００５−２６４７１３号公報
【特許文献２】特開２００５−２３２７６０号公報
【特許文献３】特開２００６−３７５８１号公報
【特許文献４】特開２００６−３７５８５号公報
【特許文献５】特開２００６−３７５８６号公報
【特許文献６】特開２００６−３７６２８号公報
【特許文献７】特開２００６−３７６５９号公報
【特許文献８】特開２００６−４５７７６号公報
【発明の開示】
【発明が解決しようとする課題】
【０００５】
上記特許文献１〜８に開示された耐震壁は、波形鋼板の力学的特性を活用した有用な耐震壁であるが、波形鋼板の鋼材として、普通鋼又は低降伏点鋼等の鋼材よりも降伏強度の高い超高強度鋼を用れば、板厚の薄い耐震壁を構築でき、同耐震壁の軽量化を図ることができるので、地震入力を小さくできるし、柱や基礎への負担を軽減できる。また、超高強度鋼で製作された波形鋼板は、普通鋼又は低降伏点鋼等の鋼材から成る波形鋼板よりも弾性域が長いので、大地震時において塑性化しにくく地震後の残留変形が非常に小さくすることもできる。
しかし、超高強度鋼で製作された波形鋼板は、降伏強度が熱によってコントロールされるので、上記特許文献１〜８に開示された耐震壁のように、上下の梁又はスラブ或いは左右の柱と溶接を伴う接合では、降伏強度が低下する問題がある。
【０００６】
本発明の目的は、超高強度鋼で製作された波形鋼板を建物の上下の梁又はスラブ或いは左右の柱と一体的に接合することを可能に構成した降伏強度の高い耐震壁を提供することである。
【課題を解決するための手段】
【０００７】
上記従来技術の課題を解決するための手段として、請求項１に記載した発明に係る超高強度鋼で製作された波形鋼板を用いた耐震壁は、
超高強度鋼で製作された波形鋼板２０が、その折り筋を水平方向に向けて上下の梁又はスラブ５、５へ一体的に接合された耐震壁１ａであって、
前記超高強度鋼で製作された波形鋼板２０の左右両端部に、該波形鋼板２０を内外両面から挟み込む形鋼３、３がボルト接合されて形鋼フランジ部４、４が形成され、該形鋼フランジ部４の上下端部が上下の梁又はスラブ５、５へ接合されており、
前記超高強度鋼で製作された波形鋼板２０の上下端部が、上下の梁又はスラブ５、５とボルト接合されていることを特徴とする。
【０００８】
請求項２に記載した発明に係る超高強度鋼で製作された波形鋼板を用いた耐震壁は、
超高強度鋼で製作された波形鋼板２０が、その折り筋を水平方向に向けて上下の梁又はスラブ５、５へ一体的に接合された耐震壁１ｂであって、
前記超高強度鋼で製作された波形鋼板２０に、普通鋼又は低降伏点鋼等の鋼材から成る波形鋼板２１が凹凸を同じ向きに重ね合わされてボルト接合されており、
前記重ね合わせた波形鋼板２２の左右両端部に、該波形鋼板２２を内外両面から挟み込む形鋼３、３がボルト接合されて形鋼フランジ部４、４が形成され、該形鋼フランジ部４の上下端部が上下の梁又はスラブ５、５へ接合されており、
前記超高強度鋼で製作された波形鋼板２０の上下端部が、上下の梁又はスラブ４、４とボルト接合されていること、又は普通鋼や低降伏点鋼等の鋼材から成る波形鋼板２１が上下の梁又はスラブと溶接接合又はボルト接合されていることを特徴とする。
【０００９】
請求項３に記載した発明に係る超高強度鋼で製作された波形鋼板を用いた耐震壁は、
超高強度鋼で製作された波形鋼板２０が、その折り筋を水平方向に向けて左右の柱へ一体的に接合された耐震壁１ｃであって、
前記超高強度鋼で製作された波形鋼板２０の左右両端部に、該波形鋼板２０を内外両面から挟み込む形鋼３、３がボルト接合されて形鋼フランジ部４、４が形成されており、
前記形鋼フランジ部４に接合された連結部材９、９が左右の柱１０、１０へ接合されていることを特徴とする。
【００１０】
請求項４に記載した発明に係る超高強度鋼で製作された波形鋼板を用いた耐震壁は、
超高強度鋼で製作された波形鋼板２０が、その折り筋を水平方向に向けて左右の柱へ一体的に接合された耐震壁であって、
前記超高強度鋼で製作された波形鋼板２０に、普通鋼又は低降伏点鋼等の鋼材から成る波形鋼板２１が凹凸を同じ向きに重ね合わせてボルト接合されており、
前記重ね合わせた波形鋼板２２の左右両端部に、該波形鋼板２２を内外両面から挟み込む形鋼３、３がボルト接合されて形鋼フランジ部４、４が形成されており、
前記形鋼フランジ部４に接合された連結部材９、９が左右の柱１０、１０へ接合されていることを特徴とする。
【００１１】
請求項５に記載した発明は、請求項１〜４のいずれか一に記載した超高強度鋼で製作された波形鋼板を用いた耐震壁において、
超高強度鋼で製作された波形鋼板２０の中間部、又は超高強度鋼で製作された波形鋼板２０に普通鋼又は低降伏点鋼等の鋼材から成る波形鋼板２１を重ね合わせた波形鋼板２２の中間部に、前記波形鋼板２０を内外両面から挟み込む補強鋼板又は補強形鋼１１がボルト接合されていることを特徴とする。
【００１２】
請求項６に記載した発明は、請求項１〜５のいずれか一に記載した超高強度鋼で製作された波形鋼板を用いた耐震壁において、
超高強度鋼で製作された波形鋼板２０と形鋼３との隙間、又は超高強度鋼で製作された波形鋼板２０に普通鋼又は低降伏点鋼等の鋼材から成る波形鋼板２１を重ね合わせた波形鋼板２２と形鋼３との隙間、或いは超高強度鋼で製作された波形鋼板２０と補強鋼板又は補強形鋼１１との隙間へモルタル又は樹脂６が充填されていることを特徴とする。
【００１３】
請求項７に記載した発明は、請求項１〜６のいずれか一に記載した超高強度鋼で製作された波形鋼板を用いた耐震壁において、
超高強度鋼で製作された波形鋼板２０と形鋼３との隙間、又は超高強度鋼で製作された波形鋼板２０に普通鋼又は低降伏点鋼等の鋼材から成る波形鋼板２１を重ね合わせた波形鋼板２２と形鋼３との隙間、或いは超高強度鋼で製作された波形鋼板２０と補強鋼板又は補強形鋼１１との隙間へ補剛材７が設置されていることを特徴とする。
【００１４】
請求項８に記載した発明は、請求項１又は２に記載した超高強度鋼で製作された波形鋼板を用いた耐震壁において、
超高強度鋼で製作された波形鋼板２０を内外両面から挟み込む形鋼３、３で形成された形鋼フランジ部４、４、又は超高強度鋼で製作された波形鋼板２０に普通鋼又は低降伏点鋼等の鋼材から成る波形鋼板２１を内外両面から挟み込む形鋼３、３で形成された形鋼フランジ部４、４に、前記内外の形鋼３、３を結ぶ補剛鋼板８が接合されていることを特徴とする。
【００１５】
請求項９に記載した発明は、請求項３又は４に記載した超高強度鋼で製作された波形鋼板を用いた耐震壁において、
超高強度鋼で製作された波形鋼板２０の上下端部、又は超高強度鋼で製作された波形鋼板２０に普通鋼又は低降伏点鋼等の鋼材から成る波形鋼板２１を重ね合わせた波形鋼板２２の上下端部には、水平方向に沿って前記の波形鋼板２０（又は２２）を内外両面から挟み込む山形鋼１１がボルト接合されていることを特徴とする。
【発明の効果】
【００１６】
本発明の超高強度鋼で製作された波形鋼板を用いた耐震壁１は、超高強度鋼で製作された波形鋼板２０に形鋼３、３で形成した形鋼フランジ部４を介して上下の梁又はスラブ５、５或いは左右の柱１０、１０へボルト接合した構成なので、降伏強度の高い耐震壁１を構築できる。従って、普通鋼や低降伏点鋼等の鋼材で成形した波形鋼板に比べて板厚を薄くできる。斯くして、本発明の耐震壁１は、部材の軽量化を図ることができ、地震入力を小さくできるし、柱や基礎への負担を軽減できる。また、大地震時においても波形鋼板２０は塑性変形しにくく、地震後の残留変形を非常に小さくすることができる。
【発明を実施するための最良の形態】
【００１７】
超高強度鋼で製作された波形鋼板２０を上下の梁又はスラブへ接合する場合は、超高強度鋼で製作された波形鋼板２０の左右両端部に、該波形鋼板２０を内外両面から挟み込む形鋼３、３をボルト接合して形鋼フランジ部４を形成し、形鋼フランジ部４の上下端部を上下の梁又はスラブ５、５へ接合する。そして、前記波形鋼板２０の上下端部を、上下の梁又はスラブ５、５とボルト接合する。
【００１８】
超高強度鋼で製作された波形鋼板２０を左右の柱へ接合する場合は、超高強度鋼で製作された波形鋼板２０の左右両端部に、該波形鋼板２０を内外両面から挟み込む形鋼３、３をボルト接合して形鋼フランジ部４を形成し、形鋼フランジ部４に接合した連結部材を左右の柱１０、１０へ接合する。
【実施例１】
【００１９】
以下に、本発明を図示した実施例に基づいて説明する。
図１（Ａ）、（Ｂ）は、超高強度鋼で製作された波形鋼板２０を、その折り筋を水平方向に向けて上下の梁５、５（以下、スラブの場合も含む。）へ一体的に接合した耐震壁１ａをそれぞれ示している。具体的には、前記超高強度鋼で製作された波形鋼板２０の左右両端部に、該波形鋼板２０を内外両面から挟み込む山形鋼３、３が、鉛直方向に沿って複数のボルト３ａ…で接合されて形鋼フランジ部４が形成されている。前記形鋼フランジ部４の上下端部が、同形鋼フランジ部４にボルト接合１５されたアングル材１２を介して上下の梁５、５のフランジ部５ａへボルト接合１５されている。そして、前記超高強度鋼で製作された波形鋼板２０の上下端部は、上下の梁５、５のウェブ５ｂに沿って設けられたリブ１４へ水平方向に沿って複数のボルト１４ａで接合されている（図１Ｂを参照）。
なお、前記形鋼フランジ部４の上下の端部は、アングル材１２を介して、上下の梁５、５のフランジ部５ａへ溶接接合しても良いし、上下の梁５、５へ直接溶接接合しても良い。また、形鋼フランジ部４を構成する山形鋼３に代えて、例えば、Ｉ形鋼、溝形鋼、Ｔ形鋼、Ｈ形鋼等で実施することもできる。
【００２０】
超高強度鋼で製作された波形鋼板２０の降伏強度は、約６００〜７００Ｎ／ｍｍ２であり、普通鋼や低降伏点鋼等の鋼材で製作された波形鋼板（降伏強度が約２００〜３００Ｎ／ｍｍ２）の降伏強度に比べて非常に高い。つまり、超高強度鋼から成る波形鋼板は、その板厚を普通鋼又は低降伏点鋼等の鋼材から成る波形鋼板の１／２又は１／３程度としても十分な力学的特性を発揮する。本実施例の超高強度鋼から成る波形鋼板２０を用いた耐震壁１ａは、波形鋼板２０の板厚を薄くできる分だけ耐震壁の軽量化を図ることができる。よって、地震入力を小さくでき、柱や基礎への負担を軽減できる。また、大地震時においても波形鋼板２０は塑性変形しにくく、地震後の残留変形を非常に小さくすることができる。
【００２１】
図２（Ａ）〜（Ｃ）は、上記超高強度鋼で製作された波形鋼板２０の降伏強度を更に高める手段をそれぞれ示している。
先ず、図２（Ａ）に示す実施例は、波形鋼板２０と形鋼３、３との隙間へ、モルタル又は樹脂６を充填して接合強度を高めた構成である（請求項６記載の発明）。
次に、図２（Ｂ）に示す実施例は、波形鋼板２０と形鋼３、３との隙間へ、横断面が略コ字形状の補剛材７を、波形鋼板２０の凹凸と向かい合わせに設置した構成である。前記補剛材７は、形鋼３、３と共に波形鋼板２０とボルト接合されている（請求項７記載の発明）。
次に、図２（Ｃ）に示す実施例は、超高強度鋼で製作された波形鋼板２０を内外両面から挟み込む形鋼３、３で形成された形鋼フランジ部４、４に、前記内外の形鋼３、３を結ぶ補剛鋼板８が、交差状に配置されてボルト接合された構成である（請求項８記載の発明）。
なお、前記図２（Ａ）〜（Ｃ）に示す波形鋼板２０の補剛手段をそれぞれ組み合わせて、一層降伏強度を高めた構成で実施してもよい。例えば、波形鋼板２０と形鋼３、３との隙間へ、モルタル又は樹脂６を充填すると共に補剛材７を設置した構成で実施することができる。或いは、波形鋼板２０と形鋼３との隙間へ、モルタル又は樹脂６を充填し、又は補剛材７を設置すると共に、前記形鋼フランジ部４、４に、前記内外の形鋼３、３を交差状に結ぶ補剛鋼板８をボルト接合した構成で実施することができる。
【００２２】
図３は、例えば超高強力鋼から成る波形鋼板２０が水平方向に長くて、剪断座屈を起こすおそれがある場合に、前記超高強度鋼で製作された波形鋼板２０の中間部に、該波形鋼板２０の内外両面を挟み込む補強鋼板１１を、鉛直方向に沿って複数のボルト１６で一体的に接合して補剛した実施形態を示している。なお、図示は省略したが、前記補強鋼板１１は、例えば溝形鋼や山形鋼であっても同様に実施することができる。
因みに、図３に示した実施例では、波形鋼板２０の中間部に１枚の補強鋼板を設けた構成であるが、前記波形鋼板２０の横幅によっては、複数枚の補強鋼板１１を水平方向に一定の間隔をあけて並べ、前記波形鋼板２０と一体的にボルト接合した構成で実施することもできる（請求項５記載の発明）。
【００２３】
なお、超高強度鋼で製作された波形鋼板２０と前記補強鋼板１１の隙間へ、モルタルを充填したり（例えば上記図２Ａを参照）、或いは補剛材を設けることにより（例えば図２Ｂを参照）、更に波形鋼板２０の降伏強度を高めることができる。
【実施例２】
【００２４】
図４に示す耐震壁１ｂは、超高強度鋼で製作された波形鋼板２０の内外両側面に、普通鋼又は低降伏点鋼或いは高張力鋼等の鋼材から成る波形鋼板２１が、凹凸を同じ向きに重ね合わされ、鉛直方向に沿って複数のボルト３ａ…で一体的に接合されていることを特徴としている。実施例２の耐震壁１ｂは、降伏時の変形角を変化させることができ、エネルギー吸収能力をコントロールできる点で優れている。
【００２５】
上記耐震壁１ｂの構成は、超高強度鋼で製作された波形鋼板２０に普通鋼又は低降伏点鋼或いは高張力鋼等の鋼材から成る波形鋼板２１を重ね合わせること以外は、上記実施例１で説明した耐震壁１ａと略同じ構成である。即ち、前記重ね合わせた波形鋼板２２の左右両端部に、該波形鋼板２２の内外両面を挟み込む形鋼３、３が複数のボルト３ａ…で一体的に接合されて形鋼フランジ部４が形成されている。前記形鋼フランジ部４の上下の端部が、同形鋼フランジ部４にボルト接合１５されたアングル材１２を介して上下の梁５、５（以下、スラブの場合も含む。）のフランジ部５ａへ、一体的にボルト接合１５されている。そして、前記重ね合わせた波形鋼板２０の上下の端部が、上下の梁５、５のウェブ５ｂに沿って設けられたリブ１４へ水平方向に沿って複数のボルトで接合されている。但し、本実施例の耐震壁１ｂの場合では、前記超高強度鋼で製作された波形鋼板２０に重ね合わせた普通鋼又は低降伏点鋼或いは高張力鋼等の鋼材から成る波形鋼板２１を上下の梁５、５と溶接接合又はボルト接合した構成で実施することもできる（請求項２記載の発明）。
【００２６】
なお、上記実施例１の段落番号［００２１］〜［００２３］に記載した波形鋼板の降伏強度を更に高める手段は、実施例２の耐震壁１ｂにも同様に実施することができる。
【実施例３】
【００２７】
図５（Ａ）〜（Ｃ）に示す耐震壁１ｃは、超高強度鋼で製作された波形鋼板２０が、その折り筋を水平方向に向けて左右の柱１０、１０へ一体的にボルト接合されている。具体的には、超高強度鋼で製作された波形鋼板２０の左右両端部に、該波形鋼板２０の内外両面を挟み込む形鋼３、３が複数のボルト３ａ…で接合されて形鋼フランジ部４、４が形成されている。前記形鋼フランジ部４、４に鉛直方向に沿って複数のボルト９ａ…で接合された連結部材９、９が、左右の柱１０、１０のウェブ１０ａに沿って設けられたリブ１７へ一体的に複数のボルト１８…で接合されている（請求項３記載の発明）。
【００２８】
前記超高強度鋼で製作された波形鋼板２０の上下の端部には、剪断座屈強度を高めるため及び剪断応力の伝達を高めるために、水平方向に沿って前記波形鋼板２０を内外両面から挟み込む山形鋼１３が水平方向に向かって複数のボルト１３ａ…で接合されている。但し、前記山形鋼１３の代わりに、例えばＩ形鋼、溝形鋼、Ｔ形鋼、Ｈ形鋼等を用いても同様に実施することができる（請求項９記載の発明）。
【００２９】
なお、上記実施例１の段落番号［００２１］〜［００２３］に記載した波形鋼板の降伏強度を更に高める手段を実施例３の耐震壁１ｃにも同様に実施することができる。但し、段落番号［００２１］に記載した図２（Ｃ）に示す手段は除く。
【００３０】
また、図示は省略したが、本実施例３の超高強度鋼で製作された波形鋼板２０を用いた耐震壁１ｃは、柱と柱の間に立てる間柱として構成で実施することもできる。
【実施例４】
【００３１】
上記実施例３に記載した構成の耐震壁１ｃは、例えば上記実施例２に記載した耐震壁１ｂのように、超高強度鋼で製作された波形鋼板２０の側面に、普通鋼又は低降伏点鋼或いは高張力鋼等の鋼材から成る波形鋼板２１を、凹凸を同じ向きに重ね合せて、一体的にボルト接合した波形鋼板２２を用いた構成で実施することもできる。つまり、図示は省略したが、本実施例４の耐震壁は、重ね合わせた波形鋼板２２の左右両端部に、該波形鋼板２２を内外両面から挟み込む形鋼３、３がボルト接合されて形鋼フランジ部４、４が形成されている。前記形鋼フランジ部４、４に鉛直方向に沿って複数のボルト９ａ…で接合された連結部材９、９が、左右の柱１０、１０のウェブ１０ａに沿って設けられたリブ１７へ一体的に複数のボルト１８…で接合されている（請求項４記載の発明）。
【００３２】
以上、本発明を実施例に基づいて説明したが、勿論、図示した実施例の限りではない。本発明の要旨及び技術的思想を逸脱しないかぎり、当業者の変形、応用にしたがい様々な実施例が成立することを、敢えてここに、言及する次第です。
【図面の簡単な説明】
【００３３】
【図１】（Ａ）は請求項１に記載した耐震壁を示す正面図である。（Ｂ）は（Ａ）の側面図である。
【図２】（Ａ）〜（Ｃ）は波形鋼板の降伏強度を高める手段を示す説明図である。
【図３】（Ａ）は水平方向に長い波形鋼板の降伏強度を高めた耐震壁の正面図である。（Ｂ）は（Ａ）のI−I線矢視断面図である。
【図４】請求項２に記載した耐震壁を示す側面図である。
【図５】（Ａ）は請求項３に記載した耐震壁を示す正面図である。（Ｂ）は（Ａ）のII−II線矢視断面図である。（Ｃ）は（Ａ）のIII−III線矢視断面図である。
【図６】波形鋼板 の折り筋と直角な方向のせん断変形の状態を模式的に示す側面図である。
【図７】（Ａ）は波形鋼板の軸圧縮の状態を示す図である。（Ｂ）は波形鋼板の曲げ状態を示す説明図である。
【図８】（Ａ）〜（Ｄ）は波形鋼板の異なる断面形状を示す説明図である。
【符号の説明】
【００３４】
１ａ〜１ｃ  耐震壁
２０          超高強度鋼で製作された波形鋼板
３          形鋼
４          形鋼フランジ部
５          梁（又はスラブ）
６          モルタル（又は充填材）
７          補剛材
８          補剛鋼板
９          連結部材
１０          柱
【図１】
2008088758.tif 000003
【図２】
2008088758.tif 000004
【図３】
2008088758.tif 000005
【図４】
2008088758.tif 000006
【図５】
2008088758.tif 000007
【図６】
2008088758.tif 000008
【図７】
2008088758.tif 000009
【図８】
2008088758.tif 000010